(57)【要約】【課題】ボードを照度のムラを低減し、また、設置環境に適切に対応してボードに取り付けできるボード用照明装置を提供する。【解決手段】ボード照明装置１０は、細長い形状を有し、長手方向Ｘ及びボード１の縁部２が平行になるようにボード１に取り付けられ、長手方向Ｘに隣接させて連設され、ＬＥＤを有する照明部６０と、長手方向Ｘに細長い基部２０と、基部２０に収容される配線部３５とを備え、配線部３５は、ＡＣケーブル５８に接続され、一端側にコネクタ３６ａと、他端側にコネクタ３７ａと、コネクタ３６ａ，３７ａ間に、照明部６０にＤＣ電力を供給する変換器３２とを備え、第２コネクタ３７ａ側のケーブル３７は、隣接された他のボード照明装置１０のコネクタ３６ａに接続可能な長さであり、コネクタ３７ａが隣接された他のボード照明装置１０のコネクタ３６ａに接続可能な形態である。【選択図】図９
2015097158.tif 000002
【特許請求の範囲】
【請求項１】
細長い形状を有し、長手方向及びボードの縁部に沿った方向が平行になるように前記ボードに取り付けられ、長手方向に隣接させて連設されるボード照明装置であって、
ＬＥＤを有する照明部と、
長手方向に細長い基部と、
前記基部に収容される配線部とを備え、
前記配線部は、
ＡＣケーブルに接続され、
一端側に第１コネクタと、
他端側に第２コネクタと、
前記第１コネクタ及び前記第２コネクタ間に、前記照明部にＤＣ電力を供給するＡＣ−ＤＣ変換器とを備え、
前記第２コネクタ側のケーブルは、
隣接された他のボード照明装置の第１コネクタに接続可能な長さであり、
前記第２コネクタが隣接された他のボード照明装置の第１コネクタに接続可能な形態であること、
を特徴とするボード照明装置。
【請求項２】
請求項１に記載のボード照明装置において、
前記ＡＣケーブルは、
前記第１コネクタに直接接続可能であり、変換部を介して前記第２コネクタに接続可能であり、
前記第１コネクタ及び前記第２コネクタの一方を選択して接続可能であること、
を特徴とするボード照明装置。
【請求項３】
請求項１又は請求項２に記載のボード照明装置において、
長手方向の端部に取り付けられるキャップを備え、
ボード照明装置の端部は、前記キャップを取り外した状態において同一面上に位置し、
隣り合うボード照明装置の端部同士は、前記キャップを取り外した状態で密着すること、
を特徴とするボード照明装置。
【請求項４】
請求項３に記載のボード照明装置において、
前記キャップは、前記ＡＣケーブルを挿通する孔部を備え、
前記孔部に前記ＡＣケーブルを挿通されない状態において、前記孔部に蓋をする蓋部を備えること、
を特徴とするボード照明装置。
【発明の詳細な説明】
【技術分野】
【０００１】
本発明は、ボードを照明するボード照明装置に関するものである。
【背景技術】
【０００２】
従来、広告看板等に設置可能な照明装置があった（例えば特許文献１）。
しかし、従来の照明装置は、ボードの照度のムラが大きかった。
また、ボードの設置環境（例えば、ボードの形状、大きさや、照明装置に電力を供給するＡＣ差し込み口等の配置等）は、現場ごとに異なる。従来の照明装置は、このような異なる設置環境に、柔軟に対応できるものではなかった。
【先行技術文献】
【特許文献】
【０００３】
【特許文献１】特開２０１２−１０４３４５号公報
【発明の概要】
【発明が解決しようとする課題】
【０００４】
本発明の課題は、ボードを照度のムラを低減できるボード用照明装置を提供することである。
また、本発明の課題は、ボードの設置環境に適切に対応してボードに取り付けできるボード用照明装置を提供することである。
【課題を解決するための手段】
【０００５】
本発明は、以下のような解決手段により、課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００６】
・第１の発明は、細長い形状を有し、長手方向及びボード（１）の縁部が平行になるように前記ボードに取り付けられ、長手方向に隣接させて連設されるボード照明装置であって、ＬＥＤを有する照明部（６０）と、長手方向に細長い基部（２０）と、前記基部に収容される配線部（３５）とを備え、前記配線部は、ＡＣケーブル（５８）に接続され、一端側に第１コネクタ（３６ａ）と、他端側に第２コネクタ（３７ａ）と、前記第１コネクタ及び前記第２コネクタ間に、前記照明部にＤＣ電力を供給するＡＣ−ＤＣ変換器（３２）とを備え、前記第２コネクタ側のケーブル（３７）は、隣接された他のボード照明装置の第１コネクタに接続可能な長さであり、前記第２コネクタが隣接された他のボード照明装置の第１コネクタに接続可能な形態であること、を特徴とするボード照明装置である。
・第２の発明は、第１の発明のボード照明装置において、前記ＡＣケーブル（５８）は、前記第１コネクタ（３６ａ）に直接接続可能であり、変換部（５９）を介して前記第２コネクタ（３７ａ）に接続可能であり、前記第１コネクタ及び前記第２コネクタの一方を選択して接続可能であること、を特徴とするボード照明装置である。
・第３の発明は、第１又は第２の発明のボード照明装置において、長手方向の端部に取り付けられるキャップ（５０）を備え、ボード照明装置の端部は、前記キャップを取り外した状態において同一面上に位置し、隣り合うボード照明装置の端部同士は、前記キャップを取り外した状態で密着すること、を特徴とするボード照明装置である。
・第４の発明は、第３の発明のボード照明装置において、前記キャップ（５０）は、前記ＡＣケーブルを挿通する孔部（５０ｂ）を備え、前記孔部に前記ＡＣケーブルを挿通されない状態において、前記孔部に蓋をする蓋部（５５）を備えること、を特徴とするボード照明装置である。
【発明の効果】
【０００７】
本発明によれば、ボードを照度のムラを低減できるボード用照明装置を提供できる。また、ボードの設置環境に適切に対応してボードに取り付けできるボード用照明装置を提供できる。
【図面の簡単な説明】
【０００８】
【図１】第１実施形態の照明装置１０がボード１に装着された状態を、下側Ｚ１から見た斜視図である。
【図２】第１実施形態の照明装置１０の単体の構成を説明する図である。
【図３】第１実施形態の照明装置１０からカバー部４０を取り外した状態を示す図である。
【図４】第１実施形態の照明装置１０の断面図である。
【図５】第１実施形態の照明装置１０の矯正爪４９近傍の構成を、下側Ｚ１から見た図である。
【図６】第１実施形態の照明装置１０のキャップ５０Ｒ近傍の構成を示す上面図である。
【図７】カバー部４０を基部２０に取り付ける状態を説明する断面図である。
【図８】第１実施形態の照明装置１０を、ＡＣケーブル５８を他方の端部から出す態様を説明する図である。
【図９】第１実施形態の照明装置１０を連結した取り付け方法を説明する図である。
【図１０】比較例の照明装置１１０，１１０Ａ〜１１０Ｃの斜視図である。
【図１１】第１実施形態の照明装置１０を連結した取り付け方法を説明する図である。
【図１２】第１実施形態のキャップ５０を示す図である。
【図１３】第１実施形態のブッシング５５を示す図である。
【図１４】第１実施形態の照明装置１０のキャップ５０Ｒを取り付けた状態の斜視図である。
【図１５】第１実施形態の照明部６０を、電気基板６７側から見た図である。
【図１６】第１実施形態のリフレクタ７０の反射面７５の作用を説明する断面図である。
【図１７】第１実施形態のリフレクタ７０の遮光面７７の作用を説明する断面図である。
【図１８】第１実施形態のリフレクタ７０を斜め下側から見た斜視図である。
【図１９】第１実施形態のレンズ部８０を説明する図である。
【図２０】第１実施形態のレンズ部８０から光が出射する状態を示す断面図である。
【図２１】第１実施形態の照明装置１０と、比較例の照明装置１１０とを、ボード５に取り付けた状態を比較する断面図である。
【図２２】第２実施形態の照明装置２１０がボード２０１に装着された状態の上面図である。
【図２３】第２実施形態の照明装置２１０の基部２２０及びアーム部２３０の接続部分の１つ（図２２の矢印Ｂ部）の斜視図である。
【図２４】第２実施形態の基部２２０及びアーム部２３０の斜視図である。
【図２５】第２実施形態の照明装置２１０のアーム部２３０近傍の断面図である。
【図２６】照明装置２１０をボード２０１に装着する工程を説明する斜視図である。
【図２７】照明装置２１０をボード２０１に装着する工程を説明する斜視図である。
【発明を実施するための形態】
【０００９】
（第１実施形態）
以下、図面等を参照して、本発明の第１実施形態について説明する。
図１は、第１実施形態の照明装置１０がボード１に装着された状態を、下側Ｚ１から見た斜視図である。
図１の二点鎖線内は、キャップ５０Ｒ近傍の拡大図である。
なお、図面及び実施形態では、図１の状態を基準に、左右方向を長手方向Ｘ、奥行方向を短手方向Ｙ、鉛直方向Ｚと図示及び説明し、また、適宜、左側Ｘ１、右側Ｘ２、手前側Ｙ１、奥側Ｙ２、下側Ｚ１、上側Ｚ２として図示及び説明する。長手方向Ｘ、短手方向Ｙ、鉛直方向Ｚは、互いに直交する。
また、３つの照明装置１０（ボード照明装置）、基部２０等のいずれかを指定して説明する場合には、末尾にＡ〜Ｃを付して説明する（照明装置１０Ａ等）。
【００１０】
ボード１は、支柱等を有し自立したのもの、壁等に固定されたもののいずれでもよい。ボード１は、黒板、掲示板等である。黒板には、フェルトペンを用いて文字等が書かれる白板（いわゆるホワイトボード）を含む。ボード１は、照明装置１０の専用のものではなくてもよい。つまり、ボード１は、汎用のものでもよく、例えば、市場で流通していたり、既に設置されたりしている掲示板、黒板等でもよい。図１のボード１は、壁に設置された白板の例である。
【００１１】
照明装置１０（１０Ａ〜１０Ｃ）は、ボード１を照明する装置である。照明装置１０は、単体の状態で、又は長手方向Ｘに複数連結して、ボード１に装着されるものである。実施形態では、３つの照明装置１０Ａ〜１０Ｃを連結した形態を説明するが、２つ又は４つ以上を連結してもよい。
照明装置１０は、左右方向（長手方向Ｘ）に細長く、奥行方向（短手方向Ｙ）に短く、鉛直方向Ｚに小さい箱状の形状である。
【００１２】
［照明装置１０の単体の構成］
照明装置１０を単体で、つまり、連結しないで、ボード１に取り付ける形態を説明する。
図２は、第１実施形態の照明装置１０の単体の構成を説明する図である。
図２（Ａ）は、上面図である。
図２（Ｂ）は、長手方向Ｘから見た図である。
図３は、第１実施形態の照明装置１０からカバー部４０を取り外した状態を示す図である。
図３（Ａ）は、上面図である。
図３（Ｂ）は、長手方向Ｘから見た断面図である。
図３（Ｃ）は、配線部３５の電気的な構成を説明する図である。
図４は、第１実施形態の照明装置１０の断面図である。
図４（Ａ）は、Ｌ字金具３０（又は連結金具３１）を通る断面図である。
図４（Ｂ）は、変換器３２近傍の断面図である。
図４（Ｃ）は、カバー部４０を取り外した状態の断面図である。
図５は、第１実施形態の照明装置１０の矯正爪４９近傍の構成を、下側Ｚ１から見た図である。
図６は、第１実施形態の照明装置１０のキャップ５０Ｒ近傍の構成を示す上面図である。図６は、キャップ５０Ｒ、ブッシング５５を分解した状態を示す。
なお、各上面図は、分かりやすく図示するため、基部２０の内部を示す線を適宜省略する。
【００１３】
図２に示すように、照明装置１０は、基部２０、カバー部４０、キャップ５０（５０Ｌ，５０Ｒ）、ＡＣケーブル５８を備える。
図３に示すように、基部２０は、アルミニウムにより形成されている。基部２０は、押し出し成形によって一体的に形成されており、長手方向Ｘ（連結方向）に細長く形成されている。基部２０は、押し出し成形品を切断して形成される。このため、基部２０を長手方向Ｘから見た断面は、孔開け加工された部分（Ｌ字金具固定孔２５ｃ等）を除き一定の形状である。
カバー部４０も、基部２０と同様に形成される。基部２０の長手方向Ｘの長さと、カバー部４０の長手方向Ｘの長さとは、等しい。このため、基部２０及びカバー部４０の端部は、同一面上に位置する。
【００１４】
（基部２０の構成）
図３、図４に示すように、基部２０は、板状の底板部２１の後端部分と、板状の後板部２２の先端部分とを、立壁２３がＺ字状に連結したような構成である。
基部２０は、キャップ装着孔２５ａ（キャップ装着部）、リブ２５ｂ、Ｌ字金具固定孔２５ｃ、連結金具固定孔２５ｄ、回転軸２５ｅ、ストッパ２５ｆを備える。Ｌ字金具固定孔２５ｃ、連結金具固定孔２５ｄは、押し出し成形された基部２０に対して、孔開け加工をして形成される。
キャップ装着孔２５ａは、キャップ５０を装着する孔である。キャップ装着孔２５ａの周囲は、一部が切れているが、全周を繋げた形状でもよい。キャップ装着孔２５ａは、２つが基部２０の手前側Ｙ１及び奥側Ｙ２にそれぞれ配置されている。
リブ２５ｂは、Ｌ字金具３０、連結金具３１（後述する）を固定するための部分である。リブ２５ｂは、底板部２１から上側Ｚ２に突出するように設けられている。リブ２５ｂには、Ｌ字金具固定孔２５ｃ、連結金具固定孔２５ｄが設けられている。リブ２５ｂ及びカバー部４０間には、隙間を有する（図４（Ｂ）参照）。この隙間には、変換器３２及び照明部６０間を接続するケーブル３２ａ，６０ａが通される。
【００１５】
Ｌ字金具固定孔２５ｃは、Ｌ字金具３０を固定する孔である。
連結金具固定孔２５ｄは、連結金具３１を固定する孔である。連結金具固定孔２５ｄは、長手方向Ｘの端部近傍に各２つ設けられ（図６参照）、合計４つ設けられている。
回転軸２５ｅは、カバー部４０の回転支軸等として機能する部分である。回転軸２５ｅは、立壁２３及び後板部２２間の接続部分に設けられている。
ストッパ２５ｆは、回転軸２５ｅの手前側Ｙ１に設けられている。ストッパ２５ｆは、カバー部４０の円弧部４５ｃ（後述する）に当接することにより、短手方向Ｙにおいて、カバー部４０を位置決めする。
【００１６】
図３、図４に示すように、基部２０は、Ｌ字金具３０、連結金具３１（連結部）、変換器３２（ＡＣ−ＤＣ変換器）、配線部３５を備える。
Ｌ字金具３０、連結金具３１は、断面形状が同一のＬ字状であり、長手方向Ｘの長さが異なる。
Ｌ字金具３０は、カバー部４０を基部２０に固定するための部材である。Ｌ字金具３０は、複数設けられており、基部２０にネジ止めにより固定される。Ｌ字金具３０は、２つの孔３０ａ、１つの孔３０ｂを備える。
２つの孔３０ａは、Ｌ字金具３０は、リブ２５ｂに対して、Ｌ字金具固定孔２５ｃを用いてネジ止めするためのものである。
１つの孔３０ｂは、カバー部４０を固定するためのものである。
【００１７】
連結金具３１は、カバー部４０を固定し、また、照明装置１０を連結する場合に用いる部材である。連結金具３１の長手方向Ｘの長さは、Ｌ字金具３０よりも長い。連結金具３１は、基部２０の両端部にそれぞれ設けられている。
連結金具３１は、４つの孔３１ａ、２つの孔３１ｂを備える（図６参照）。
４つの孔３１ａは、連結金具３１を、リブ２５ｂに対して、連結金具固定孔２５ｄを用いてネジ止めするためのものである。４つの孔３１ａは、長手方向Ｘに並べて配置されている。
２つの孔３１ｂは、カバー部４０を固定するための孔である。２つの孔は、長手方向Ｘに並べて配置されている。
【００１８】
変換器３２は、ＡＣケーブル５８から供給されたＡＣ電力を、照明部６０のＬＥＤに対応したＤＣ電力に変換する装置である。変換器３２は、電気的には、コネクタ３６ａ，３７ａ（後述する）間に配置される。ＤＣ電力は、ケーブル３２ａから出力される。
【００１９】
配線部３５は、基部２０内で、電力を配電する部分である。
配線部３５は、ケーブル３６，３７，３８、分配器３９を備える。
なお、各ケーブル３６，３７は、２本の線材から構成されるが、ＧＮＤ（グランド）線を追加して３本の線材から構成してもよい。
ケーブル３６は、基部２０内の右側Ｘ２に配置される。ケーブル３６の一端は、分配器３９に接続される。ケーブル３６の他端には、メスのコネクタ３６ａ（第１コネクタ）が設けられている。ケーブル３６の長さ、つまり、分配器３９からコネクタ３６ａまでの長さは、ケーブル３６を延ばした状態で、基部２０内に収まる長さである。
【００２０】
ケーブル３７は、基部２０内の左側Ｘ１に配置される。ケーブル３７の一端は、分配器３９に接続される。ケーブル３７の他端には、オスのコネクタ３７ａ（第２コネクタ）が設けられている。ケーブル３７の長さ（つまり、分配器３９からコネクタ３７ａまでの長さ）は、ケーブル３７を延ばした状態で、コネクタ３７ａ側が基部２０内からはみ出る。このため、照明装置１０を単体で使用する場合には、ケーブル３７は、２つ折り等にして、基部２０内に収容される。
ケーブル３８は、分配器３９及び変換器３２間を接続する。
【００２１】
分配器３９は、ＡＣ電流を分配する電気機器である。
分配器３９の回路は、各ケーブル３６〜３９の端部を、三つ又状に接続する。このため、分配器３９は、ケーブル３６からＡＣ電流が入力される場合には、これをケーブル３７，３８に分配して出力し、一方、ケーブル３７からＡＣ電流が入力される場合には（図８、図１１参照）、これをケーブル３６，３８に分配して出力する。
なお、コネクタ３６ａの内部に電流の分配機能を持たせて、分配器３９及びコネクタ３６ａとを一体の構成にしてもよい。
【００２２】
（カバー部４０の構成）
図４に示すように、カバー部４０は、基部２０の上部をカバーするように取り付けられる。
カバー部４０は、照明部６０が設けられており、基部２０に固定される。照明部６０の詳細な構成は、後述する。
【００２３】
カバー部４０は、天板部４１、手前壁部４２、底板部４３が連結したような構成であり、また、天板部４１の下面から斜め下側Ｚ１に向けてリブ状の仕切り壁４４が設けられている。
天板部４１の手前部分は、照明部６０の傾斜に対応するように、手前側Ｙ１に至るに従って下側Ｚ１に緩やかに傾斜している。
【００２４】
カバー部４０は、照明部取り付け部４５ａ、ケーブル挿通孔４５ｂ、円弧部４５ｃ、キャップ装着孔４５ｅ（キャップ装着部）、カバー固定孔４５ｆ、矯正爪取り付け溝４５ｇを備える。カバー固定孔４５ｆ、ケーブル挿通孔４５ｂは、押し出し成形されたカバー部４０に対して、孔開け加工をして形成される。
照明部取り付け部４５ａは、照明部６０が配置される領域である。照明部取り付け部４５ａは、仕切り壁４４、手前壁部４２等によって囲まれた領域である。照明部取り付け部４５ａの詳細は、後述する。
ケーブル挿通孔４５ｂは、仕切り壁４４に設けられている。ケーブル挿通孔４５ｂは、照明部６０に接続されたケーブル６０ａを挿通する孔である。ケーブル挿通孔４５ｂには、ケーブル６０ａを保護するためのブッシング等の保護部材（図示せず）が設けられている。
【００２５】
円弧部４５ｃは、カバー部４０の天板部４１の端部に設けられている。円弧部４５ｃの内面は、基部２０の回転軸２５ｅに係合する。これにより、円弧部４５ｃ、回転軸２５ｅは、ヒンジ４５ｄを構成する。
【００２６】
キャップ装着孔４５ｅは、基部２０のキャップ装着孔２５ａと同様な孔である。キャップ装着孔４５ｅは、カバー部４０の手前側Ｙ１に配置されている。
カバー固定孔４５ｆは、カバー部４０を、Ｌ字金具３０、連結金具３１（つまり基部２０）に固定する孔である。カバー固定孔４５ｆは、Ｌ字金具３０、連結金具３１の孔３０ｂ，３１ｂに対応した位置に設けられている。
矯正爪取り付け溝４５ｇは、矯正爪４９（後述する）を装着する溝である。矯正爪取り付け溝４５ｇは、底板部４３の奥側Ｙ２に配置されている。
【００２７】
カバー部４０は、矯正爪４９（傾き矯正部）を備える。
矯正爪４９は、照明装置１０を連結してボード１に装着する場合に、隣合う照明装置１０の傾きを矯正する部材である。矯正爪４９は、矯正爪取り付け溝４５ｇに装着される。
矯正爪４９は、矯正部取り付け溝に沿って、長手方向Ｘにスライドする態様で移動可能である。
図５に示すように、このため、矯正爪４９は、突出状態及び引き込み状態のなかから選択して、カバー部４０に配置可能である。
突出状態は、矯正爪４９がカバー部４０の端部から突出した状態（図５（Ｂ））であり、一方、引き込み状態は、矯正爪４９がカバー部４０の端部よりも引き込んだ状態（図５（Ａ））である。
矯正爪４９の先端が上側Ｚ２に回転されると、係合部が矯正部取り付け溝に圧入された状態になる。これにより、矯正爪４９は、カバー部４０に固定される。
【００２８】
（キャップ５０の構成）
キャップ５０（５０Ｌ，５０Ｒ）は、照明装置１０の長手方向Ｘの開口を塞ぐ部材である。キャップ５０は、樹脂の成形品等である。キャップ５０Ｌ，５０Ｒは、長手方向Ｘにおいて対称の構成である。
図６に示すように、キャップ５０は、ネジ止め孔５０ａ、ＡＣケーブル挿通孔５０ｂを備える。
ネジ止め孔５０ａは、キャップ５０を、基部２０、カバー部４０、ボード１の枠２（縁部）に取り付けるための孔である。ネジ止め孔５０ａは、４つ設けられている（図６参照）。１つは、カバー部４０のキャップ装着孔４５ｅにネジ止めするものであり、２つは、基部２０のキャップ装着孔２５ａにネジ止めするものであり、１つは、ボード１の枠２にネジ止めするためのものである。
ＡＣケーブル挿通孔５０ｂは、ＡＣケーブル５８を挿通するための孔である。ＡＣケーブル５８を挿通しない場合には、目隠し部材５１が装着される（図３参照）。
【００２９】
キャップ５０は、ブッシング５５、ナット５６を備える。
ブッシング５５は、ＡＣケーブル挿通孔５０ｂから外側に配線されるＡＣケーブル５８を保護する部材である。ブッシング５５は、おネジ部５５ｂを備える。
ナット５６は、ブッシング５５をキャップ５０に取り付けるための部材である。
キャップ５０の詳細は、図１２を用いて後述する。
【００３０】
（ＡＣケーブル５８の構成）
ＡＣケーブル５８は、照明装置１０と、ＡＣ電力を供給する差し込み口とを、電気的に接続する。ＡＣケーブル５８の一端には、差込プラグ５８ａ（図２参照）が設けられている。差込プラグは、差し込み口に差し込まれる。差し込み口は、ボード１の設置部屋の壁面等に設けられている。ＡＣケーブル５８の他端には、オスのコネクタ５８ｂが設けられている。
【００３１】
［照明装置１０の単体の取り付け方法、保持構造］
照明装置１０の単体の照明装置１０の基本的な取り付け方法を説明しながら、照明装置１０の基本的な保持構造等について説明する。
図７は、カバー部４０を基部２０に取り付ける状態を説明する断面図である。
（標準的な取り付け方法）
作業者は、以下の工程により、照明装置１０をボード１に装着することができる。
なお、実施形態の工程の順番は、標準のものであり、適宜変更してもよい。
（♯１）図３（Ｂ）に示すように、基部２０の後板部２２を、ボード１の枠２にネジ止めする。
これにより、基部２０がボード１に固定される。
なお、基部２０及びボード１の取り付けは、種々の変更が可能であって、例えば、立壁２３を手前側Ｙ１から、ボード１の枠２にネジ止めしてもよい。
（♯２）図３（Ａ）に示すように、連結金具３１を、基部２０から突出しない状態で、基部２０にネジ止めする。
【００３２】
（♯３）図６に示すように、ＡＣケーブル５８を、キャップ５０のＡＣケーブル挿通孔５０ｂ、ナット５６に挿通する。
（♯４）ＡＣケーブル５８のコネクタ５８ｂと、ケーブル３６のコネクタ３６ａとを接続する。
（♯５）ブッシング５５をＡＣケーブル５８のキャップ５０のＡＣケーブル挿通孔５０ｂに挿入し、また、ＡＣケーブル５８のうちＡＣケーブル挿通孔５０ｂから外側に配線される部分をブッシング５５でかぶせる。
（♯６）ブッシング５５のおネジ部５５ｂと、ナット５６とを噛み合わせて、ブッシング５５をキャップ５０に固定する。
なお、図３（Ａ）等では、ブッシング５５は、ＡＣケーブル５８を奥側Ｙ２に導く例を示すが、ＡＣケーブル５８を導く方向は、ＡＣ差し込み口の等の設置環境に応じて選択できる。例えば、ブッシング５５は、ＡＣケーブル５８を下側Ｚ１に導いてもよい。
【００３３】
（♯７）図７に示すように、カバー部４０を立てた状態で、円弧部４５ｃを回転軸２５ｅに挿入する。この場合、カバー部４０は、基部２０の後板部２２及び立壁２３の交点２３ａに寄り掛かるように自立する。このため、作業者は、カバー部４０を自立した状態で、必要に応じて、点検作業（例えば、ケーブルの配線の点検等）等をすることもできる。
また、照明装置１０を取り付けた後に、配線作業や、後述するように、照明装置１０を連結するような作業が発生した場合にも、作業者は、カバー部４０を開いて自立させれば、容易に作業できる。
（♯８）カバー部４０をヒンジ４５ｄ回りに回転することにより手前側Ｙ１に倒しながら、ケーブル３２ａのコネクタとケーブル６０ａのコネクタとを接続し、続いて、カバー部４０を、Ｌ字金具３０及び連結金具３１に当接するまで回転する。
【００３４】
基部２０の長手方向Ｘの長さと、カバー部４０の長手方向Ｘの長さとは、等しいので、端部において、基部２０及びカバー部４０は、同一面となる。
図４に示すように、基部２０及びカバー部４０は、ヒンジ４５ｄによって、上側Ｚ２及び奥側Ｙ２に移動しないように規制される。また、基部２０のストッパ２５ｆは、カバー部４０を、基部２０に対して手前側Ｙ１に移動しないように規制する。このため、カバー部４０は、ＹＺ平面内において、ヒンジ４５ｄ回りの回転移動以外には、移動しないように規制される。
これにより、カバー部４０は、閉じられた状態では、基部２０から脱落することはない。
【００３５】
（♯９）カバー部４０をＬ字金具３０及び連結金具３１にネジ止めする。これにより、カバー部４０は、ヒンジ４５ｄ回りに回転移動しないよう規制され、かつ、長手方向Ｘに移動しないよう規制され、基部２０に固定される。
このように、カバー部４０は、手前側Ｙ１の数か所をネジ止めすれば、基部２０に固定できるので、作業者は、容易に作業できる。また、カバー部４０を取り外したり、前述したような点検作業等をする場合にも、作業者は、数か所のネジを外せばよい。
【００３６】
上記工程により、カバー部４０は、基部２０よりも手前側Ｙ１に突き出す片持ち梁のような形態で、基部２０に保持される。なお、カバー部４０は、下側Ｚ１に大きな負荷が加わることにより撓もうとした場合には、基部２０の当接部２５ｇ（図４（Ａ）参照）に当接するので、この撓みを抑制できる。
【００３７】
（♯１０）矯正爪４９を、内側にスライドさせて引き込み状態（図５（Ａ）参照）に配置する。引き込み状態では、基部２０のキャップ５０の取り付け位置よりも内側に配置される。つまり、照明装置１０の単体の取り付けでは、矯正爪４９は、機能させない。
（♯１１）キャップ５０をネジ止めして、基部２０及びカバー部４０に装着する。基部２０及びカバー部４０の端部は、同一面であり、また、キャップ５０の内面は、フラットである。このため、キャップ５０は、基部２０及びカバー部４０に対して、平行に装着できる。また、キャップ５０をボード１の枠２にもネジ止めする。
（♯１２）反対側のキャップ５０も同様にネジ止めする。このキャップ５０は、ＡＣケーブル挿通孔５０ｂを目隠したものである。
以上により、照明装置１０を単体の状態で、ボード１に装着できる。
【００３８】
（ＡＣケーブル５８を他方のキャップ５０から出す場合）
照明装置１０は、以下のように、ＡＣケーブル５８を他方のキャップ５０から出して取り付けることができる。
図８は、第１実施形態の照明装置１０を、ＡＣケーブル５８を他方の端部から出す態様を説明する図である。
この場合には、変換ケーブル５９（変換部）を用いる。変換ケーブル５９は、例えば、照明装置１０の出荷時に同梱しておけばよい。
変換ケーブル５９は、両端にコネクタ５９ａを備える。これらのコネクタ５９ａは、両方ともメスである。このため、これらのコネクタ５９ａは、ケーブル３７のオスのコネクタ３７ａ、ＡＣケーブル５８のオスのコネクタ５８ｂに、それぞれ接続できる。
これにより、変換ケーブル５９は、ＡＣケーブル５８及びケーブル３７間を接続する。
前述したように、分配器３９の回路は、三つ又状であるので、ＡＣ電力をケーブル３７側から供給しても、ＡＣ電力を変換器３２に入力することができる。
【００３９】
この場合でも、作業者は、ＡＣケーブル５８の配線をキャップ５０側から出す以外は、前述した取り付け方法と同様に、照明装置１０を取り付けできる。
すなわち、ＡＣケーブル５８をキャップ５０Ｒ側に取り付けて、ＡＣケーブル５８及びケーブル３７を、変換ケーブル５９を介して接続する。ケーブル３７は、折り返したりして、基部２０内に収容する。
一方、キャップ５０Ｒは、目隠し部材５１を取り付けて、基部２０等にネジ止めすればよい。
【００４０】
ここで、照明装置１０は、短手方向Ｙの方向が決まっている。すなわち、ＸＹ平面において、１８０°回転した状態では、ボード１に装着することができない。
そのため、実施形態とは異なりＡＣケーブルの出口方向が決まっている形態では、ＡＣ差し込み口等が出口とは反対側にあるような設置環境では、照明装置外において、ＡＣケーブルを長く這わせる必要がある。
これに対して、実施形態の照明装置１０のＡＣケーブル５８は、ケーブル３７，３８のなかから１つを選択して接続可能である。このため、ＡＣ差し込み口等の設置環境に応じて、ＡＣケーブル５８の出口方向を選択して、ＡＣケーブル５８を取り付けることができる。これにより、照明装置１０は、ＡＣケーブル５８を這わせる長さを短くでき、スッキリと設置できる。
【００４１】
［連結した取り付け方法、保持構造］
図１に示すような照明装置１０Ａ〜１０Ｃを連結した取り付け方法、保持構造について説明する。
（標準的な取り付け方法）
図９は、第１実施形態の照明装置１０を連結した取り付け方法を説明する図である。
図９は、照明装置１０Ａ，１０Ｂのみを図示し、照明装置１０Ｃの図示を省略した。
作業者は、以下の工程により、照明装置１０を連結してボード１に装着することができる。
なお、以下、主に、照明装置１０Ａ、１０Ｂ間の連結について説明するが、照明装置１０Ｂ，１０Ｃ間の接続も同様である。
【００４２】
（♯２１）上記（♯１）と同様に、基部２０を、ボード１にネジ止めする（図３等参照）。この場合、隣合う照明装置１０Ａ，１０Ｂの基部２０Ａ，２０Ｂを密着させる。
（♯２２）照明装置１０Ａの右端に配置される連結金具３１を、上記（♯２）と同様に、基部２０から突出しないように、基部２０Ａにネジ止めする（図３参照）。また、照明装置１０Ｃの左端に配置される連結金具３１も同様に、基部２０にネジ止めする（図示は省略する）。
一方、照明装置１０Ａ，１０Ｂの連結部分については、連結金具３１を外側にずらして、連結金具３１を基部２０Ａから突出した形態で、基部２０Ａにネジ止めする。そして、突出した部分の連結金具３１の孔３１ａを用いて、連結金具３１をもう一方の照明装置１０Ｂの基部２０Ｂにネジ止めする。なお、基部２０の連結金具固定孔２５ｄと、連結金具３１の孔３１ａとは、連結金具３１をこのようにずらした状態でも一致するように、長手方向Ｘの配置、ピッチが設定されている。
これにより、連結金具３１は、隣合う基部２０Ａ，２０Ｂを、連結するので、隣合う基部２０Ａ，２０Ｂ間（つまり照明装置１０Ａ，１０Ｂ間）の傾き（つまり照明装置１０のボード１に対する傾き）を矯正することができる。
【００４３】
（♯２３）照明装置１０Ａ，１０Ｂのケーブル３７Ａ及びケーブル３６Ｂを接続させる。照明装置１０Ａのケーブル３７Ａのコネクタ３７ａは、オスであり、一方、照明装置１０Ｂのケーブル３６Ｂのコネクタ３６ａは、メスである。このため、作業者は、間違えることなく、結線作業をできる。
また、ケーブル３７Ａは、十分に長いので、隣りの基部２０Ｂ内まで延ばし、隣りの基部２０Ｂのケーブル３６Ｂのコネクタ３６ａに接続できる。このため、照明装置１０は、別のケーブルを用意することなく電気的に接続できるので、作業者は、容易に結線作業をできる。
（♯２４）ＡＣケーブル５８の取り付けは、端部に配置された基部２０Ａに対して行う。取り付け方法は、上記単体取り付け方法と同様である。
分配器３９Ａは、三つ又状であるので、ＡＣケーブル５８は、分配器３９ＡからＤＣ変換器３２に接続され、かつ、ケーブル３７Ａ及び隣りの照明装置１０Ｂのケーブル３６Ｂを介して、分配器３９Ｂにも接続される。照明装置１０Ｂ，１０Ｃ間についても、同様に、接続されるので、ＡＣケーブル５８は、全ての照明装置１０Ａ〜１０Ｃに接続される。
これにより、１つのＡＣケーブル５８からのＡＣ電力を、複数の照明装置１０Ａ〜１０Ｃに供給できる。
【００４４】
（♯２５）上記（♯７〜♯９）と同様に、各カバー部４０を３つの基部２０に取り付ける。基部２０及びカバー部４０の端部は、同一面であるので、隣合う基部２０Ａ，２０Ｂを密着することにより、隣合うカバー部４０も密着できる。
カバー部４０を、閉じて、Ｌ字金具３０、連結金具３１にネジ止めする。照明装置１０の連結部分では、１つの連結金具３１に対して２つのカバー部４０がネジ止めされる。
なお、連結部分には、キャップ５０を装着しない。このため、基部２０及びカバー部４０の断面形状は、連結部分においても、長手方向Ｘに渡って一定であるので、ケーブル３７Ａは、連結部分において、挟まれることはない。
このように、連結金具３１は、照明装置１０を連結する連結部と、カバー部４０をこの照明装置１０に取り付ける取り付け部を兼用できる。このため、照明装置１０は、連結用の部品を別途用意する必要がないので、部品点数を削減できる。
【００４５】
（♯２６）図５（Ｂ）に示すように、カバー部４０Ａの矯正爪４９をスライドさせて、突出状態にする。矯正爪４９は、突出状態では、隣りに配置される他のカバー部４０Ｂの矯正爪取り付け溝４５ｇに係合する。
また、矯正爪４９を上側Ｚ２に回転させて、矯正爪取り付け溝４５ｇに圧入して固定する。
なお、カバー部４０Ｂの矯正爪４９は、取り外したり、内側にスライドした引き込み状態にすればよい。
【００４６】
このように、矯正爪４９は、基部２０Ａ，２０Ｂの矯正爪取り付け溝４５ｇの両方に係合することにより、この照明装置１０Ａ，１０Ｂ間の傾き（照明装置１０のボード１に対する傾き）を矯正する。短手方向Ｙにおいて、矯正爪４９は、ボード１から遠くの位置に配置されているので、効果的にこの傾きを矯正できる。
なお、実施形態では、矯正爪４９は、樹脂の成形品である例を示すが、例えば、金属製の棒にしてもよい。この場合には、矯正爪取り付け溝４５ｇの断面形状を、この棒に対応した円にすればよい。
（１０Ａ）最端部の２つの照明装置１０Ａ，１０Ｃにキャップ５０Ｌ，５０Ｒを装着する。
この場合、単体での取り付けと同様に、ＡＣケーブル５８が挿通されたキャップ５０Ｒには、ブッシング５５を取り付け、一方、ＡＣケーブル５８が挿通されないキャップ５０Ｌには、目隠し部材５１（図３参照）を取り付ける。
【００４７】
このように、照明装置１０Ａ〜１０Ｃは、全体として長手方向Ｘに長くなってしまっても、個々に設置できる。このため、照明装置１０の１つ当たりを小型にでき、かつ、重量を小さくでき、作業者は、容易に設置作業できる。また、連結時の結線は、コネクタを接続すればよいので、容易に作業できる。
また、照明装置１０は、連結金具３１、矯正爪４９を備えるので、照明装置１０間の傾きのバラツキを小さくできる。これにより、照明装置１０は、連結部分の段差を小さくできる。
さらに、照明装置１０は、ボード１の長手方向Ｘの大きさに応じて、長手方向Ｘに連結する数を変更すれば、ボード１の大きさ等の設置環境に柔軟に対応できる。
【００４８】
図１０は、比較例の照明装置１１０，１１０Ａ〜１１０Ｃの斜視図である。
図１０（Ａ）に示すよう比較例のように、実施形態とは異なり一体型の照明装置１１０では、大型になり、かつ、重量が大きくなる。このため、照明装置１１０は、作業者の設置作業が困難になる問題がある。つまり、実施形態の照明装置１０は、アーム１１１等が不要であるので、照明装置１１０，１１０Ａ〜１１０よりも軽量にできる。
図１０（Ｂ）に示すよう比較例のように、実施形態とは異なり、連結金具３１、矯正爪４９を備えない照明装置１１０Ａ〜１１０Ｃは、照明装置１１０Ａ〜１１０Ｃ間の傾きのバラツキが大きくなる。このため、照明装置１１０Ａ〜１１０Ｃは、段差が目立ってしまうという問題がある。
なお、図１０は、照明装置１１０，１１０Ａ〜１１０Ｃをアーム１１１でボード１に取り付ける例を示すが、上記問題は、照明装置１１０，１１０Ａ〜１１０Ｃをボード１に直接取り付ける場合であっても同様である。
【００４９】
（連結した取り付けにおいて、ＡＣケーブル５８を他方のキャップ５０Ｌから出す場合）
図１１は、第１実施形態の照明装置１０を連結した取り付け方法を説明する図である。
図１１に示すように、照明装置１０（１０Ａ〜１０Ｃ）は、変換ケーブル５９を用いて、ＡＣケーブル５８及びケーブル３７Ｃを接続することにより、単体での取り付けと同様に、他方のキャップ５０ＬからＡＣケーブル５８を出すことができる。
分配器３９Ｃは、三つ又状になっているので、ケーブル３７Ｃは、分配器３９Ｃからケーブル３６Ｃ及び３７Ｂを介して、隣りの分配器３９（図１１は、図示を省略した）に接続される。照明装置１０Ｂ，１０Ｃ間も同様に接続される。
【００５０】
このように、ケーブル３７は、照明装置１０間を電気的に接続するケーブル３７Ｂとしても用いることができるし、また、ＡＣケーブル５８に接続することにより電力供給用のケーブル３７Ｃにも利用できる。
また、照明装置１０は、連結した場合であって、単体の場合と同様に、設定環境に応じて、ＡＣケーブル５８の出口を選択できる。
【００５１】
［キャップ５０の構成］
キャップ５０の構成について詳細に説明する。
図１２は、第１実施形態のキャップ５０を示す図である。
図１２（Ａ）は、ブッシング５５を取り付けた状態を、右側Ｘ２から見た図である。
図１２（Ｂ）は、断面図である。
図１２（Ｃ）は、裏面図（左側Ｘ１から見た図）である。
図１２（Ｄ）は、キャップ５０を分離した状態を示す。
図１２は、キャップ５０Ｒの例である。キャップ５０Ｌは、キャップ５０Ｒと長手方向Ｘにおいて対称形状であるので、説明を省略する。
図１２に示すように、キャップ５０は、ほぼ平板状の部材である。
キャップ５０は、内側面に溝５０ｃ，５０ｄを備える。
溝５０ｃ，５０ｄの底部の肉厚は、周囲よりも薄い。
溝５０ｃは、基部２０の立壁２３（図４参照）と同じ位置に配置されている。溝５０ｄは、キャップ５０の後端に設けられている。
図１２（Ｄ）に示すように、作業者は、カッターナイフを用いて、キャップ５０を溝部から容易に分断できる。
【００５２】
図１３は、第１実施形態のブッシング５５を示す図である。
図１３（Ａ）は、右側Ｘ２から見た図である。
図１３（Ｂ）は、断面図である。
図１３（Ｃ）は、裏面図（左側Ｘ１から見た図）である。
図１３（Ｄ）は、奥側Ｙ２から見た図である。
図１３（Ｅ）は、ケーブルガイド５５ｃを分離した状態を示す。
ブッシング５５は、本体部５５ａ、ケーブルガイド５５ｃを備える。
本体部５５ａには、前述したおネジ部５５ｂが設けられている。本体部５５ａの内側は、穴状になっている。
ケーブルガイド５５ｃは、ＡＣケーブル５８を、本体部５５ａから所望の方向に導く部分である。
【００５３】
ケーブルガイド５５ｃを短手方向Ｙに平行に配置した状態で、ケーブルガイド５５ｃの後端と、キャップ５０の後端とは、ほぼ同じ位置である（図１２（Ａ）参照）。
ケーブルガイド５５ｃは、断面がＵ字状であり、このＵ字の内側が、本体部５５ａの穴状の部分に連続している。このため、ブッシング５５は、ＡＣケーブル５８を連続して収容できる。
ケーブルガイド５５ｃは、溝５５ｄを備える。溝５５ｄの部分は、周囲よりも肉厚が薄い。
図１２（Ｅ）に示すように、作業者は、カッターナイフを用いて、ケーブルガイド５５ｃを溝５５ｄから容易に分断できる。
【００５４】
図１４は、第１実施形態の照明装置１０のキャップ５０Ｒを取り付けた状態の斜視図である。
図１４に示すように、例えば、長手方向Ｘにおいて、ボード１の全長が照明装置１０よりも長い場合には、作業者は、キャップ５０を溝５０ｃ（図１２（Ｃ）参照）から切断すればよい。これにより、照明装置１０は、キャップ５０を、ボード１に干渉することなく、取り付けできる。
ＡＣケーブル５８、目隠し部材５１等は、前述したようにキャップ５０Ｌ，５０Ｒに取り付ければよい（図３、図５等参照）。
なお、キャップ５０を溝５０ｄから分離する例は、後述する実施形態で説明する（図２７参照）。
【００５５】
また、ブッシング５５のケーブルガイド５５ｃは、ＡＣケーブル５８の這わせる状況に応じて、溝５５ｄから分離できる。
このように、キャップ５０は、左右の２種類のみを用意すれば、様々な設置環境に対応して、設置できる。このため、照明装置１０は、部品点数を削減して、低コストにでき、また、金型作成費等の軽減できる。
また、ブッシング５５は、１種類のみ用意すれば、設置環境に対応してＡＣケーブル５８を這わせることができる。
【００５６】
［照明部６０の構成］
照明部６０の構成について説明する。
図１５は、第１実施形態の照明部６０を、電気基板６７側から見た図である。
図１５（Ａ）は、図１６のＡ−Ａ断面図である。
図１５（Ｂ）は、図１５（Ａ）の矢印Ｂ部の拡大図である。
図１５（Ｃ）は、図１５（Ｂ）のＣ−Ｃ断面図である。
図１６は、第１実施形態のリフレクタ７０の反射面７５の作用を説明する断面図である。
図１６（Ａ）は、照明装置１０の断面図である。
図１６（Ｂ）は、リフレクタ７０の拡大図である。
図１７は、第１実施形態のリフレクタ７０の遮光面７７の作用を説明する断面図である。
図１７（Ａ）は、照明装置１０の断面図である。
図１７（Ｂ）は、リフレクタ７０の拡大図である。
図１８は、第１実施形態のリフレクタ７０を斜め下側から見た斜視図である。
【００５７】
照明部６０は、点光源であるＬＥＤ６２（発光ダイオード）の光によって、ボード１を照明するための部分である。
図１５、図１６に示すように、照明部６０は、ＬＥＤ６２、拡散板６５、プレート６６、プレート取り付け溝６６ａ、電気基板６７、リフレクタ７０、レンズ部８０を備える。
照明部６０は、ＬＥＤ６２、リフレクタ７０、レンズ部８０を一単位とする単位照明装置６１が、長手方向Ｘ（配列方向）に複数配列されている。リフレクタ７０、レンズ部８０は、光学部品であり、後述するように、ＬＥＤ６２からの光を、ボード１の照明領域のうちＬＥＤ６２側の領域と、この領域よりもＬＥＤ６２から遠い領域とに導く。
ＬＥＤ６２は、照明装置１０の光源である。ＬＥＤ６２の光は、白色系である。複数のＬＥＤ６２は、長手方向Ｘに、一列に配列されている。
拡散板６５は、ＬＥＤ６２の光を、拡散させる部材である。拡散板６５は、透明な樹脂等により形成される。拡散板６５は、ＬＥＤ６２の光をやわらげ、また、照明装置１０の内部構成を見えにくくする効果を有する。拡散板６５は、カバー部４０の拡散板取り付け溝６５ａに挿入されることにより、カバー部４０に取り付けられる。
【００５８】
（照明部６０の取り付け構造）
プレート６６は、電気基板６７を固定するアルミ等の板材である。長手方向Ｘにおいて、プレート６６の長さは、カバー部４０と同じ長さである。
プレート取り付け溝６６ａは、プレート６６を挿入するために、カバー部４０に設けられた溝である。作業者は、プレート６６をプレート取り付け溝６６ａに挿入して、長手方向Ｘにスライドすることにより、プレート６６をカバー部４０に取り付けできる。
【００５９】
電気基板６７は、プレート６６に対して、ネジ止めによって固定されている。電気基板６７には、ＬＥＤ６２が実装され、また、リフレクタ７０が固定されている。ＬＥＤ６２及びリフレクタ７０は、プレート６６がカバー部４０に取り付けられることにより、カバー部４０に取り付けられる。
長手方向Ｘにおいて、電気基板６７の長さは、プレート６６よりも短い。電気基板６７には、３つのＬＥＤ６２が配置されている。このため、複数の電気基板６７が、長手方向Ｘに一列に並べて、プレート６６上に配置されている。電気基板６７間は、ケーブル６８で接続されている。このため、変換器３２からのＤＣ電力は、全ての電気基板６７に供給される。
【００６０】
実施形態では、長手方向Ｘにおける単位照明装置６１の間隔Ｌ６１は、１００ｍｍである。例えば、カバー部４０及びプレート６６の全長を１２００ｍｍとした場合には、４つの電気基板６７をプレート６６に配置して、合計１２個の単位照明装置６１をカバー部４０内に収容すればよい。
また、例えば、カバー部４０及びプレート６６の長さを６００ｍｍとした場合には、２つの電気基板６７をプレート６６に配置して、合計６個の単位照明装置６１をカバー内に収容すればよい。
このように、照明装置１０は、電気基板６７を分割してカバーに取り付けるので、ボード１の長手方向Ｘの長さの設置環境に柔軟に対応できる。例えば、実施形態とは異なりＪＩＳ等に基づいて製造された蛍光灯等を用いる形態では、ボード１の長手方向Ｘの長さの設置環境に柔軟に対応できない。
【００６１】
なお、上記例の場合、端部に配置されたＬＥＤ６２と、カバー部４０の端部との距離Ｌ６１ａは、５０ｍｍである。このため、照明装置１０Ａ，１０Ｂが連結された場合、隣合う照明装置１０Ａ，１０Ｂ間においても、ＬＥＤ６２を間隔Ｌ６１＝１００ｍｍで配置することができる。
【００６２】
プレート６６及び電気基板６７は、下面が若干奥側Ｙ２に向くように、傾いて配置される。このため、前述したように、カバー部４０の天板部４１は、緩やかに傾斜している。これにより、照明装置１０は、外形を薄く見せる視覚効果を奏する。
すなわち、通常、ボード１の観察者は、照明装置１０を、照明装置１０の手前側Ｙ１かつ下側Ｚ１から見ることになる。このため、観察者からは、照明装置１０の厚みが、長さＬ４０のように観察され、実際の厚み（長さＬ４０ａ）に比べると、薄く見える。
【００６３】
（リフレクタ７０）
図１６から図１８に示すように、リフレクタ７０は、ＬＥＤ６２からの光を、反射したり遮光することにより調光する部分である。
リフレクタ７０は、白色系の樹脂の射出成形品等である。リフレクタ７０の外形は、ほぼ直方体である（図１８参照）。リフレクタ７０の下側Ｚ１には、レンズ部８０が配置される。
図１８に示すように、リフレクタ７０は、貫通孔７１、リブ７２を備える。
貫通孔７１は、リフレクタ７０の中央に設けられている。貫通孔７１の内部には、中央にＬＥＤ６２が配置される。
リブ７２は、リフレクタ７０の下面の周囲に設けられている。リブ７２は、内部にレンズ部８０を配置し、レンズ部８０を位置決めする。
【００６４】
リフレクタ７０の貫通孔７１の内側面は、反射面７５（反射部）、左右反射面７６、遮光面７７（遮光部）を備える。
反射面７５は、貫通孔７１の手前側Ｙ１の面である。反射面７５は、同一平面状になっている。つまり、長手方向Ｘから見た反射面７５の断面形状の傾斜角度は、全ての切断位置において一定である。
図１６に示すように、反射面７５は、急な斜面である。反射面７５と、電気基板６７とが交わる角度は、例えば７０〜８０°である。
ＬＥＤ６２から反射面７５に向かった光７５ａは、反射面７５で反射する。反射した光７７ｂは、ボード１の照明領域のうち上部に向かう。
【００６５】
反射面７５は、ＬＥＤ６２の光のうち低輝度の光７７ａの出光範囲（中心軸６２ａから例えば５０〜６０°以上）に設けられている。このため、ボード１の上部は、反射面７５で反射した低輝度の光７７ｂによって、照明されるようになっている。
なお、実際には、反射面７５の反射光は、レンズ部８０を通過することにより進行方向が変化するが、レンズ部８０部からボード１上部までの距離が近いので、進行方向の変化にともなう照明範囲の変化が小さい。このため、便宜上、上記は、反射光のレンズ通過の影響を考慮しないで、説明した。
【００６６】
図１８に示すように、左右反射面７６は、ＬＥＤ６２の長手方向Ｘの外側の範囲に配置されている。左右反射面７６は、ＬＥＤ６２の光のうち長手方向Ｘ（左右方向）に向かう光を、レンズ部８０側に反射する。左右反射面７６で反射した光のレンズ部８０への入射角は、小さい（図示は省略した）。このため、レンズ部８０は、左右反射面７６で反射した光に対して、ほぼ所望のレンズ効果を奏する。
【００６７】
図１８に示すように、遮光面７７は、ＬＥＤ６２の奥側Ｙ２に配置された内側面である。
図１７に示すように、遮光面７７は、ボード１の照明領域のうちＬＥＤ６２側の領域である近方へ直接向かうＬＥＤ６２の光（すなわちボード上部に直接向かう光）を直接遮る。遮光面７７は、ＬＥＤ６２のボード１側である奥側Ｙ２に配置され、ＬＥＤ６２から奥側Ｙ２に向かう光を遮光する。
遮光面７７は、反射面７５と同様に、それぞれ傾斜角度が一定な平面である。遮光面７７は、電気基板６７に対してほぼ垂直な面である。
【００６８】
図１８に示すように、遮光面７７は、奥側遮光面７８、左右遮光面７９を備える。
奥側遮光面７８は、ＬＥＤ６２の中心軸６２ａ方向から見た場合に、ＬＥＤ６２の奥側Ｙ２の面であり、長手方向Ｘに平行である。
左右遮光面７９は、ＬＥＤ６２の中心軸６２ａ方向から見た場合に、遮光面７７の長手方向Ｘ（左右方向）の外側に、それぞれ連設されている。左右遮光面７９は、左右方向外側に至るに従って、ボード１側とは反対側である手前側Ｙ１に変位し、ＬＥＤ６２の光のうち左右方向からボード１に直接向かう光を遮光する。
【００６９】
ここで、ＬＥＤ６２の白色系の光は、レンズ部８０の周囲から入射すると、黄色成分が強調される傾向を有し、不自然な照光になる場合がある。左右遮光面７９は、この長手方向Ｘ（左右方向）からレンズ部８０に入射する光を遮ることにより、白色系の自然な照光を維持できる。
このように、黄色成分が強調されることを軽減し、自然な照光を維持できる効果は、試作を実際に作製して確認した。
【００７０】
なお、遮光面７７に遮光されず、かつ、反射面７５に反射せずに、レンズ部８０に直接入射した光は、レンズ効果によってある程度絞られて、レンズ部８０から出射する（図１９（Ａ）参照）。
【００７１】
ここで、ボード１の上部は、ＬＥＤ６２から近く、また、照明部６０内部での光の乱反射等の影響が大きいので、照度が高くなる傾向を有する。
照明装置１０は、反射面７５が低輝度の光をボード１上部に向けて反射し、かつ、遮光面７７がボード１に向かう光を直接遮ることにより、ボード１の上部の照度が極端に高くなることを抑制している。このため、照明装置１０は、ボード１上部の照度が高くなることを、効果的に抑制できる。
これにより、照明装置１０は、ボード１の照度のムラを低減できる。
【００７２】
（レンズ部８０）
図１９は、第１実施形態のレンズ部８０を説明する図である。
図１９（Ａ）は、レンズ部８０がリフレクタ７０内に収容された状態を拡大した断面図である。
図１９（Ｂ）は、フレネルレンズ８１，８２に対応した凸レンズの断面図である。
図１９（Ｃ）は、レンズ部８０を下面から見た図である。
図２０は、第１実施形態のレンズ部８０から光が出射する状態を示す断面図である。
レンズ部８０は、リフレクタ７０の下面に、爪構造、テープ等によって固定されている。
レンズ部８０は、凸レンズである。レンズ部８０は、ＬＥＤ６２から放射状に出光した光を、より平行な光に屈折させてボード１に導く。
レンズ部８０は、板状のフレネルレンズを用いている。これにより、レンズ部８０は、レンズ厚みを薄くでき、また、照明装置１０自体の厚みも、薄くできる。
【００７３】
レンズ部８０のレンズ形状は、下面である出射側に形成されている。レンズ部８０の入射側は、平面状であるが、必要に応じて、拡散効果のために梨地状にしてもよい。
レンズ部８０は、凸部８０ａを備える。凸部８０ａは、リフレクタ７０のリブ７２の破断部７２ａ（図１８参照）に収容される。このため、作業者がレンズ部８０をリフレクタ７０に取り付ける場合に、方向、表裏を間違えることはない。
【００７４】
レンズ部８０は、フレネルレンズ８１（遠方レンズ）、フレネルレンズ８２（近方レンズ）が、短手方向Ｙに並べて連設されている。
フレネルレンズ８１、フレネルレンズ８２は、一体的に形成され、例えば、樹脂の射出成形品である。
フレネルレンズ８１，８２の焦点距離は、同一であり、フレネルレンズ８１，８２からＬＥＤ６２までの距離と同じである。フレネルレンズ８１，８２の焦点距離は、例えば５ｍｍ程度である。
【００７５】
フレネルレンズ８１は、手前側Ｙ１に配置されたレンズである。
図１９（Ｂ）に示すように、フレネルレンズ８１の光軸８１ａと、ＬＥＤ６２の中心軸６２ａとは、芯ズレしている。フレネルレンズ８１の光軸８１ａは、ＬＥＤ６２の中心軸６２ａよりも手前側Ｙ１に配置されている。フレネルレンズ８１の光軸８１ａのズレ量Ｌ８１ａは、例えば０．５〜３ｍｍ程度である。
同様に、フレネルレンズ８２の光軸８２ａと、ＬＥＤ６２の中心軸６２ａとは、芯ズレしており、フレネルレンズ８２の光軸８２ａは、ＬＥＤ６２の中心軸６２ａよりも手前側Ｙ１に配置されている。
フレネルレンズ８１の光軸８１ａのズレ量Ｌ８１ａは、フレネルレンズ８２の光軸８２ａのズレ量Ｌ８２ａよりも大きい。
【００７６】
このように、フレネルレンズ８１，８２の光軸８１ａ，８２ａがＬＥＤ６２よりも手前側Ｙ１に配置されることにより、ＬＥＤ６２の光は、境界面８０ｂからの出射角がより大きくなる。
図２０に示すように、これにより、フレネルレンズ８１から出射する光は、より手前側Ｙ１に屈折して進むことができる。つまり、フレネルレンズ８１から出射する光は、ボード１の下側Ｚ１により遠くに到達できるので、ボード１のより下側Ｚ１のエリアを照光できる。
また、ズレ量Ｌ８１ａは、ズレ量Ｌ８２ａよりも大きいので、屈折率、入射角に起因して、フレネルレンズ８１は、フレネルレンズ８２よりも遠方に光を導く（光の中心８１ｂ参照）。
すなわち、フレネルレンズ８２は、ＬＥＤ６２からの光を、ボード１の照明領域のうち上側Ｚ２の領域（つまりＬＥＤ６２側の領域）に導く。また、フレネルレンズ８１は、ＬＥＤ６２からの光を、フレネルレンズ８２の照射領域よりも遠い領域（つまり、より下側Ｚ１の領域）に導く（光の中心８１ｂ参照）。
【００７７】
なお、図２０に示す光の中心８１ｂ，８１ｂは、角度を誇張して図示した。
また、上記フレネルレンズ８１，８２の形態は、一例であり、これら光軸８１ａ，８２ａと、ＬＥＤ６２の中心軸６２ａとのズレ量等は、適宜設定できる。また、例えば、レンズ部８０は、奥側Ｙ２（ボード１側）に配置されたフレネルレンズ８１で近方に光を導き、手前側Ｙ１に配置されたフレネルレンズ８２で遠方に光を導くように、設定されていてもよい。
【００７８】
（手前遮光部９０）
図１６に示すように、手前遮光部９０は、カバー部４０の底板部４３の奥側Ｙ２の領域である。手前遮光部９０は、ＬＥＤ６２から手前側Ｙ１かつ下側Ｚ１に直接向かう光を遮光する。手前遮光部９０は、観察者がＬＥＤ６２の光源（像）を観察できないように、ＬＥＤ６２からの光を遮っている。
これにより、照明装置１０は、ボード１の上部における眩しさを低減できるので、観察者のボード１の視認性を向上できる。
なお、照明部６０からの漏光等によって、ボード１の上側Ｚ２に向かう光は、カバー部４０の奥側Ｙ２の遮光部９１によって遮光される。これにより、照明部６０は、ボード１の上部付近が極端に明るくなることを抑制できる。
【００７９】
このように、照明部６０は、ＬＥＤ６２からの光をリフレクタ７０及びレンズ部８０の作用によって、複数の方向に変えて、分割してボード１に到達させる。これにより、ボード１の鉛直方向における照度のムラを低減できる。また、照明部６０は、複数の単位照明装置６１を長手方向Ｘに配列するので、ボード１の長手方向Ｘにおける照度のムラを低減できる。これにより、照明部６０は、ボード１全面に照度のムラを低減できる。
さらに、照明部６０は、ＬＥＤ６２からの光の方向を変えて、適度な照度の光をボード１の上部に到達させるので、ボード１から手前側Ｙ１への出幅を小さくできる。このため、照明装置１０は、短手方向Ｙの大きさを小さくでき、小型にできる。
なお、このように、ＬＥＤ６２、リフレクタ７０及びレンズ部８０を複数配列することにより照度のムラを低減できる効果、ボード１からの出幅を小さくできる効果は、試作によって確認した。
【００８０】
（比較例の照明装置１１０との比較）
図２１は、第１実施形態の照明装置１０と、比較例の照明装置１１０とを、ボード５に取り付けた状態を比較する断面図である。
ボード５は、ボード５ａの手前側Ｙ１に、長手方向Ｘに移動可能なボード５ｂ（二点鎖線で示す）を有するタイプである。ボード５は、いわゆる引分黒板等である。なお、第１実施形態の照明装置と、比較例の照明装置１１０との比較を強調するために、引分黒板等を例にするが、以下の比較説明は、前述したボード１についても同様である。
図２１（Ａ）に示すように、実施形態の照明装置１０の照明部６０は、前述したように、ボード５の枠６から手前側Ｙ１に真っ直ぐ延びた位置に配置される。このため、照明装置１０は、照明部６０からの光が枠６に遮られる領域Ａ１０を小さくできる。
また、照明装置１０がボード上部付近に設置されても、照明部６０は、前述したように、ＬＥＤ６２からの光を複数の方向に変えて、その一部をボード上部に到達させる。このため、照明部６０は、照度のムラを低減できる。
【００８１】
図２１（Ｂ）に示すように、一方、比較例の照明装置１１０の照明部１６０は、アーム１１１によって、ボード５の枠６よりも上側Ｚ２かつ手前側Ｙ１に配置される。このため、照明部１６０の光源１６２からの光は、枠６に遮られる領域Ａ１１０が大きくなってしまう。この場合には、ボード５ａに枠６の影が映ってしまい、照度のムラが大きくなってしまう。
【００８２】
このように、照明装置１０は、ボード５への取り付け位置に加えて、ＬＥＤ６２からの光を複数の方向に変えてボード５に到達させることにより、照度のムラを低減できる。
【００８３】
また、前述したように、照明装置１０は、ボード５からの出幅を小さくできる。このため、照明装置１０は、照明装置１０の下側Ｚ１近傍にいる人に対して、強い光を当てることがないので眩しさを感じることがなく、また、ボード５に人の影が映ることも抑制できる。この確認のために、ＬＥＤ６２の出幅Ｌ１０を１００ｍｍ程度にした照明装置１０を試作してみたところ、照明装置１０の下側Ｚ１近傍にいる人が、強い光を感じることがなかった。また、この場合、ボード５の鉛直方向Ｚの長さを１５００ｍｍ程度にしても、実施形態の照度ムラは、比較例よりも良好であった。このため、照明装置１０は、短手方向Ｙの寸法を、ボード５の鉛直方向Ｚの長さに対して、十分の一程度にできた。
一方、比較例の照明装置１１０は、遮られる領域Ａ１１０を許容できる程度にするためには、出幅Ｌ１１０が４００〜５００ｍｍ程度必要であり、実施形態よりも大型になる。また、照明装置１１０から下側Ｚ１近傍にいる人に対して、強い光が直接当たり、ボード５に人の影が映ってしまった。
【００８４】
（第２実施形態）
次に、本発明の第２実施形態について説明する。
なお、以下の説明及び図面において、前述した第１実施形態と同様の機能を果たす部分には、同一の符号又は末尾（下２桁）に同一の符号を適宜付して、重複する説明を適宜省略する。
【００８５】
［照明装置２１０の単体の構成］
図２２は、第２実施形態の照明装置２１０がボード２０１に装着された状態の上面図である。
図２２（Ａ）は、複数連結された照明装置２１０のうち２つのみを図示する。
図２２（Ｂ）は、図２２（Ａ）の矢印Ｂ部の拡大図である。
図２３は、第２実施形態の照明装置２１０の基部２２０及びアーム部２３０の接続部分の１つ（図２２の矢印Ｂ部）の斜視図である。
図２３は、基部取り付け補助部２２６、アーム部２３０等の一部を破断して示す。
図２４は、第２実施形態の基部２２０及びアーム部２３０の斜視図である。
図２４（Ａ）は、基部２２０及びアーム部２３０の接続部分近傍の拡大図である。
図２４（Ｂ）は、接続金具２３５の拡大図である。
図２５は、第２実施形態の照明装置２１０のアーム部２３０近傍の断面図である。
【００８６】
図２２に示すように、ボード２０１は、例えば曲面黒板等である。ボード２０１は、ボード本体２０１ａ、アーム２０１ｂ、取り付け用板材２０２を備える。
ボード本体２０１ａは、中央が窪むように湾曲した形状である。ボード本体２０１ａは、複数のアーム２０１ｂによって取り付け用板材２０２よりも手前側Ｙ１に取り付けられる。ボード本体２０１ａは、長手方向Ｘ（左右方向）の両端の短手方向Ｙの位置が同じになり、かつ、ボード中央が最も奥側Ｙ２になるように、取り付け用板材２０２に取り付けられる。
取り付け用板材２０２は、ボード２０１の取り付けの土台（基礎部材）にされる部材である。取り付け用板材２０２は、ボード２０１が設置される壁面に固定される。これにより、ボード本体２０１ａが壁面に対して固定される。なお、ボード２０１が移動式の場合には、取り付け用板材２０２は、柱等に固定される。
【００８７】
図２２に示すように、上側Ｚ２から見た場合に、取り付け用板材２０２は、ボード本体２０１ａが延びるように配置される方向Ｗ（ボードの縁部に沿った方向）に、平行に配置されている。すなわち、この方向Ｗは、ボード本体２０１ａの長手方向Ｘ（左右方向）の両端を結ぶ直線の方向であり、長手方向Ｘに平行であり、また、壁面にも平行である。
【００８８】
［照明装置２１０の構成］
照明装置２１０は、第１実施形態と同様に、単体で又は複数連結するように、ボード２０１に取り付けられる。
図２３に示すように、照明装置２１０は、基部２２０、アーム部２３０、接続金具２３５（接続部）、ケーブルカバー２４０を備える。
（基部２２０の構成）
基部２２０は、基部本体２０、基部取り付け補助部２２６を備える。
基部本体２０は、第１実施形態の基部２０と同じ装置である。
基部取り付け補助部２２６は、基部本体２０の後端に、長手方向Ｘに延在するように取り付けられる。基部取り付け補助部２２６は、ネジ止めされることにより、基部本体２０の板状の後板部２２に対して固定される。ネジ止め箇所は、照明装置２１０の大きさ等に応じて適宜選択できる。図２２の例では、１つの照明装置２１０について、４か所ネジ止めしている。
【００８９】
基部取り付け補助部２２６は、アルミニウムの押し出し成形品である。このため、基部取り付け補助部２２６を長手方向Ｘから見た断面形状は、一定である。
基部取り付け補助部２２６の外形は、長手方向Ｘに細長い角柱状の部材である。基部取り付け補助部２２６の断面形状は、ＹＺ平面において、対称形状である。つまり、基部取り付け補助部２２６の断面形状は、中心を対称点として点対称である。このため、基部取り付け補助部２２６は、ＹＺ平面において１８０°回転しても、また、ＸＹ平面において１８０°回転しても、基部本体２０に取り付けできる。
長手方向Ｘにおいて、基部取り付け補助部２２６は、複数の角柱状の部材を連結してもよく、十分に長い１つの角柱状の部材を用意して複数の照明装置２１０がこの１つを共有してもよい。
【００９０】
図２４、図２５に示すように、基部取り付け補助部２２６は、溝２２６ａ、接続金具係合溝２２６ｂ（接続部取り付け部）、ケーブルカバー取り付け溝２２６ｃを備える。なお、基部取り付け補助部２２６は、対称形状であるので、一方側のみ符号等を図示する。
溝２２６ａは、基部取り付け補助部２２６の手前側Ｙ１の側面、奥側Ｙ２の側面をそれぞれ窪ませるように設けられている。
接続金具係合溝２２６ｂは、接続金具２３５に係合する溝である。接続金具係合溝２２６ｂは、溝２２６ａの内部に設けられている。接続金具係合溝２２６ｂは、溝２２６ａの上下の内壁を、それぞれ鉛直方向Ｚに窪ませるように設けられている。
ケーブルカバー取り付け溝２２６ｃは、ケーブルカバー２４０を取り付けるための溝である。ケーブルカバー取り付け溝２２６ｃは、接続金具係合溝２２６ｂと同様に、溝２２６ａの内部に設けられている。ケーブルカバー取り付け溝２２６ｃは、接続金具係合溝２２６ｂよりも、基部取り付け補助部２２６の表面側に配置されている。
【００９１】
（アーム部２３０の構成）
図２３、図２４に示すように、アーム部２３０は、基部２２０を取り付け用板材２０２の上部に取り付ける部材である。アーム部２３０は、上側Ｚ２から見た状態で、基部２２０からボード２０１側に突出するように取り付けられ、また、アーム部２３０の後端部が取り付け用板材２０２の上部に固定される。
アーム部２３０の数は、照明装置２１０の大きさ等に応じて適宜選択できる。本実施形態では、１つの照明装置２１０について、２箇所設けている（図２２参照）。
【００９２】
アーム部２３０は、アーム本体２３１、アーム装着部２３２を備える。
アーム本体２３１の形状は、短手方向Ｙに細長い角柱状である。アーム本体２３１は、基部取り付け補助部２２６に対して、奥側Ｙ２から直角に接続する。
アーム本体２３１は、アルミニウムの押し出し成形品である。アーム本体２３１の断面と、基部取り付け補助部２２６の断面とは、同一形状である。このため、アーム本体２３１は、基部取り付け補助部２２６と同様な、溝２３１ａ、接続金具係合溝２３１ｂ、ケーブルカバー取り付け溝２３１ｃを備える。これらの機能も、基部取り付け補助部２２６と同様である。
このように、基部取り付け補助部２２６及びアーム本体２３１は、アルミニウムの押し出し成形品を加工して製造できる。このため、製造メーカは、基部取り付け補助部２２６及びアーム本体２３１を、同じ工程で製造できるので、コスト削減できるし、かつ、部品管理（在庫、材料管理等）等も容易である。
アーム本体２３１は、基部取り付け補助部２２６に取り付けられた状態では、基部２２０とほぼ一直線状の形態になる（図２５参照）。このため、照明装置２１０の外観は、スマートである。
【００９３】
アーム装着部２３２は、アーム本体２３１を、取り付け用板材２０２の上部に取り付けるための部材である。アーム装着部２３２は、枠体の下側Ｚ１に、取り付け用板材２０２の上部に装着するためのフランジを設けたような形状である。
アーム装着部２３２は、アルミニウムの押し出し成形品である。短手方向Ｙから見たときに、アーム装着部２３２の断面形状は、一定である。
【００９４】
アーム装着部２３２は、貫通孔２３２ａ（孔部）、アーム取り付け孔２３２ｂ、ボード取り付け孔２３２ｃを備える。
貫通孔２３２ａは、短手方向Ｙに貫通し、短手方向Ｙに開口している。貫通孔２３２ａの大きさは、アーム本体２３１の外形とほぼ同じである。アーム本体２３１は、貫通孔２３２ａに挿通される。
アーム本体２３１は、貫通孔２３２ａに挿通された状態で、ＺＸ平面内において、位置決めされ、また、各回転方向（長手方向Ｘ、短手方向Ｙ、鉛直方向Ｚの各軸回り）の回転止めがされる。
また、アーム本体２３１は、アーム取り付け孔２３２ｂを用いてアーム装着部２３２にネジ止めされることにより、短手方向Ｙにおいて移動しないように規制される。これにより、アーム本体２３１は、アーム装着部２３２に対して固定される。
ボード取り付け孔２３２ｃは、アーム装着部２３２を取り付け用板材２０２の上部にネジ止めするためのものである。
【００９５】
（接続金具２３５の構成）
図２４に示すように、接続金具２３５は、基部２２０及びアーム部２３０間を接続する部材である。接続金具２３５は、鉄等の金属板を、プレス成形して形成される。
接続金具２３５は、一片２３６及び他片２３７を直角に接続したような形状である。一片２３６及び他片２３７は、同一の形状である。また、前述したように、基部取り付け補助部２２６の断面形状及びアーム本体２３１の断面形状は、同一であるので、基部取り付け補助部２２６及びアーム本体２３１は、接続金具２３５に係合する形状が同一である。このため、接続金具２３５は、一片２３６及び他片２３７のいずれを、基部取り付け補助部２２６（又はアーム本体２３１）に接続してもよい。
一片２３６は、それぞれ、幅広部２３６ａと、幅広部２３６ａよりも幅が小さい幅狭部２３６ｂとを有する。
【００９６】
幅広部２３６ａは、基部取り付け補助部２２６の接続金具係合溝２２６ｂ（又はアーム本体２３１の接続金具係合溝２３１ｂ）に係合する。鉛直方向Ｚにおいて、接続金具係合溝２２６ｂの長さは、ほぼ同じである（図２５の長さＬ２２６ｂ参照）。
幅広部２３６ａは、基部取り付け補助部２２６（又はアーム本体２３１）にネジ止めするための孔部２３６ｃを備える。
幅狭部２３６ｂは、接続金具２３５が基部取り付け補助部２２６に取り付けられた状態において、溝２２６ａの内側に位置する。幅狭部２３６ｂの幅は、溝２２６ａ（又は溝２３１ａ）の幅とほぼ同じである（図２５の長さＬ２２６ａ参照）。
他片２３７は、一片２３６と同様な、幅広部２３７ａ、幅狭部２３７ｂ、孔部２３７ｃを備える。
【００９７】
（ケーブルカバー２４０の構成）
ケーブルカバー２４０は、ＡＣケーブル５８を外部に露出しないようにカバーする部材である。ＡＣケーブル５８をカバーすることにより、照明装置２１０は、外観品質を向上できる。ケーブルカバー２４０は、樹脂の押し出し成形品等である。ケーブルカバー２４０は、基部取り付け補助部２２６、アーム本体２３１にそれぞれ設けられている。
ケーブルカバー２４０は、爪２４０ａを備える。
爪２４０ａは、基部取り付け補助部２２６、アーム本体２３１のケーブルカバー取り付け溝２２６ｃに係合する。これにより、ケーブルカバー２４０は、基部取り付け補助部２２６、アーム本体２３１に取り付けられる。
なお、ＡＣケーブル５８は、基部取り付け補助部２２６の溝２２６ａ内に収容して、配置される。ケーブルカバー２４０は、このＡＣケーブル５８を覆うように取り付けられて、ＡＣケーブル５８をカバーする。
ケーブルカバー２４０は、基部取り付け補助部２２６と同様に、アーム本体２３１に取り付けられる。
【００９８】
［照明装置２１０の取り付け方法］
図２６、図２７は、照明装置２１０をボード２０１に装着する工程を説明する斜視図である。
作業者は、以下の工程により、照明装置２１０をボード２０１に装着することができる。
（♯３１）図２６（Ｃ）に示すように、アーム装着部２３２を取り付け用板材２０２の上部にネジ止めする。その他の取り付け箇所についても、同様に行う。
（♯３２）図２６（Ａ）に示すように、基部取り付け補助部２２６を基部本体２０の後板部２２に乗せるように配置して、基部取り付け補助部２２６を基部本体２０の後板部２２をネジ止めする。複数の箇所について同様に行う。なお、ネジは、ドリル付のタッピングビスを用いれば、基部取り付け補助部２２６の下孔加工が不要であるため、作業性を向上できる。
これにより、基部本体２０及び基部取り付け補助部２２６が固定される。
【００９９】
（♯３３）図２６（Ａ）、図２６（Ｂ）に示すように、接続金具２３５を基部取り付け補助部２２６の接続金具係合溝２２６ｂに挿入し、長手方向Ｘに沿ってスライドさせる。他の取り付け箇所の接続金具２３５も同様に、接続金具係合溝２２６ｂに挿入する。
この状態で、接続金具２３５の一片２３６（又は他片２３７）が、基部取り付け補助部２２６から奥側Ｙ２に突出する。
（♯３４）図２６（Ｃ）に示すように、アーム本体２３１をアーム装着部２３２の貫通孔２３２ａに挿通する。また、図２５（Ｂ）に示す、接続金具２３５の他片２３７を、アーム本体２３１の接続金具係合溝２３１ｂに挿入する（図２６（Ｃ）の矢印Ｃ参照）。
この状態で、基部本体２０は、ボード２０１に対して仮固定されるので、作業者は、基部２０から手を離すことができる。
（♯３５）第１実施形態と同様に、隣合う基部２２０を連結し、また、結線する。
【０１００】
（♯３６）図２７に示すように、アーム本体２３１を貫通孔２３２ａに対してスライドさせて（矢印Ｙ３参照）、短手方向Ｙにおいて、基部２２０及びボード本体２０１ａの相対位置を調整する。これにより、照明装置２１０のボード本体２０１ａまでの長さが調整される。
また、アーム本体２３１を基部取り付け補助部２２６に対してスライドさせて（矢印Ｘ３参照）、長手方向Ｘにおいて、基部２２０及びボード本体２０１ａの相対位置を調整する。
これらの調整は、ＸＹ平面において、基部２２０が、ボード本体２０１ａが延びるように配置される方向Ｗに対して、ほぼ平行になるように、かつ、ボード本体２０１ａの中央に配置されるように行う。
なお、接続金具２３５は、基部取り付け補助部２２６の接続金具係合溝２２６ｂ内を、長手方向Ｘに移動可能なので、基部取り付け補助部２２６は、アーム本体２３１に対して、長手方向Ｘにスライドできる。これにより、接続金具係合溝２２６ｂは、接続金具２３５の取り付け位置を変更できる。
【０１０１】
（♯３７）図２７に示すように、接続金具２３５と、基部取り付け補助部２２６及びアーム本体２３１とをネジ止めして固定する。また、アーム本体２３１とアーム装着部２３２とをネジ止めして固定する。これらのネジも、ドリル付のタッピングビスを用いれば、下孔加工が不要であるため、作業性を向上できる。
なお、このネジ止めは、実際に照光装置でボード本体２０１ａを照光することにより、ボード本体２０１ａの照光状態を確認後に行ってもよい。
（♯３８）アーム本体２３１のうちアーム装着部２３２よりも奥側Ｙ２に突出した部分を、金鋸等の工具で切断する。
【０１０２】
（♯３９）第１実施形態と同様に、各基部２２０に対して、カバー部４０を取り付ける。
（♯４０）図２３に示すように、キャップ５０を溝５０ｄ（図１２参照）から分離することにより切り欠き５０ｅを設けた状態で、基部２２０に装着する。また、第１実施形態と同様に、キャップにブッシングを装着する。
（♯４１）図２３に示すように、ＡＣケーブル５８を、キャップ５０後端の切り欠き５０ｅから、基部取り付け補助部２２６及びアーム本体２３１の溝２２６ａ，２３１ａに収容して這わせ、アーム本体２３１の後端まで導く。これにより、ＡＣケーブル５８をボード２０１の手前側Ｙ１等に垂らすことなく、スマートに配線できる。
ケーブルカバー２４０をカッタナイフ等で切断して、基部取り付け補助部２２６及びアーム本体２３１に取り付ける。
【０１０３】
以上説明したように、本実施形態の照明装置２１０は、ボード２０１が湾曲たような設置環境でも、これに対応して取り付けることができる。
また、照明装置２１０は、短手方向Ｙにおいて、照明装置２１０の取り付け位置（つまり、ボード本体２０１ａからの距離）を自在に調整して取り付けることができる。
さらに、取り付け用板材２０２の上部全面が平面でなくても、取り付け用板材２０２の上部に、アーム装着部２３２をネジ止めする領域を確保できれば、照明装置２１０をボード２０１に取り付けることができる。これにより、照明装置２１０は、汎用性を向上できる。
【０１０４】
なお、接続金具２３５は、１つのアーム部２３０に２つ設けてもよい（図２２に示す接続金具２３５Ｂ参照）。この場合には、照明装置２１０の取り付け強度を向上できる。また、接続金具２３５，２３５Ｂは、共通部品を用いることができる。
また、照明装置２１０は、第１実施形態と同様な平板状のボード２０１に取り付けてもよい。この場合にも、ボード２０１の照明状態が良好になるように、照明装置２１０の取り付け位置を調整できる。
【０１０５】
以上、本発明の実施形態について説明したが、本発明は前述した実施形態に限定されるものではなく、例えば、後述する変形形態等のように種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、前述した実施形態及び後述する変形形態は、適宜組み合わせて用いることもできるが、詳細な説明は省略する。
【０１０６】
（変形形態）
本実施形態において、照明装置は、ボードの上枠に取り付けられる例を示したが、これに限定されない。照明装置は、例えば、ボードの左側又は右側の枠に取り付けられてもよい。
【符号の説明】
【０１０７】
１，５，２０１  ボード
２，６  枠
１０，２１０  照明装置
２０，２２０  基部（基部本体）
３１  連結金具
３５  配線部
３６〜３８  ケーブル
３９  分配器
４０  カバー部
５０  キャップ
５５  ブッシング
５９  変換ケーブル
６０  照明部
６１  単位照明装置
６２  ＬＥＤ
７０  リフレクタ
７５  反射面
７７  遮光面
７８  奥側遮光面
７９  左右遮光面
８０  レンズ部
８１  フレネルレンズ
８２  フレネルレンズ
２０１ａ  ボード本体
２０２  取り付け用板材２０２
２３０  アーム部
２３１  アーム本体
２３２  アーム装着部
２３２ａ  貫通孔
２３５  接続金具
【図１】
2015097158.tif 000003
【図２】
2015097158.tif 000004
【図３】
2015097158.tif 000005
【図４】
2015097158.tif 000006
【図５】
2015097158.tif 000007
【図６】
2015097158.tif 000008
【図７】
2015097158.tif 000009
【図８】
2015097158.tif 000010
【図９】
2015097158.tif 000011
【図１０】
2015097158.tif 000012
【図１１】
2015097158.tif 000013
【図１２】
2015097158.tif 000014
【図１３】
2015097158.tif 000015
【図１４】
2015097158.tif 000016
【図１５】
2015097158.tif 000017
【図１６】
2015097158.tif 000018
【図１７】
2015097158.tif 000019
【図１８】
2015097158.tif 000020
【図１９】
2015097158.tif 000021
【図２０】
2015097158.tif 000022
【図２１】
2015097158.tif 000023
【図２２】
2015097158.tif 000024
【図２３】
2015097158.tif 000025
【図２４】
2015097158.tif 000026
【図２５】
2015097158.tif 000027
【図２６】
2015097158.tif 000028
【図２７】
2015097158.tif 000029